(57)【要約】【課題】簡単な構成を付加するだけで、カフを心臓の高さに容易に合わせることができる、使い勝手のよい、低コストな手首血圧計を提供する。【解決手段】被測定者Ｍの手首Ｍｔに装着する手首血圧計１に、被測定者の視線Ｓに対する角度によって見える絵柄の変化するレンチキュラーシート（表示体１４）を配設し、手首を心臓Ｈに対して適正な高さに設定したときに、被測定者の目Ｍａに特定の絵柄が見えるようにし、且つ、適正な高さ範囲を外れたときに、被測定者の目に別の絵柄が見えるようにした。【選択図】図２
0003125595.tif 000002
【実用新案登録請求の範囲】
【請求項１】
被測定者の手首に装着するカフまたはその近傍に、被測定者の視線に対する角度によって見える内容の変化する表示体を配設し、前記手首に装着したカフを自身の心臓に対して適正な高さ範囲に設定したときに、前記表示体を見る被測定者の目に特定の内容の表示が見えるようにし、且つ、適正な高さ範囲を外れたときに、被測定者の目に前記特定の内容とは別の内容の表示が見えるようにしたことを特徴とする手首血圧計。
【請求項２】
請求項１に記載の手首血圧計であって、
前記表示体として、レンチキュラーシートを前記カフまたはその近傍の部材に貼り付けたことを特徴とする手首血圧計。
【請求項３】
請求項２に記載の手首血圧計であって、
前記レンチキュラーシートは、前記カフが適正な高さ範囲にあるときとないときとの被測定者の視線に対する角度の違いから、絵柄を変化させて見せるものであることを特徴とする手首血圧計。
【請求項４】
請求項３に記載の手首血圧計であって、
前記絵柄が文字であることを特徴とする手首血圧計。
【請求項５】
請求項２に記載の手首血圧計であって、
前記レンチキュラーシートは、前記カフが適正な高さ範囲にあるときとないときとの被測定者の視線に対する角度の違いから、色調を変化させて見せるものであることを特徴とする手首血圧計。
【請求項６】
請求項１に記載の手首血圧計であって、
前記表示体として、視野角調整シートを前記カフまたはその近傍の部材に貼り付け、該視野角調整シートが、前記カフが適正な高さ範囲にあるときとないときとの被測定者の視線に対する角度の違いにより、背景の色や絵柄を見せるか見せないかを切り替えるものであることを特徴とする手首血圧計。
【請求項７】
請求項１〜６に記載の手首血圧計であって、
前記カフと一体に設けられた血圧計本体の外装ケースの外面に前記表示体を配設したことを特徴とする手首血圧計。
【請求項８】
請求項７に記載の手首血圧計であって、
前記外装ケースの外面に、血圧測定結果を表示する表示部と並べて、前記表示体を配設したことを特徴とする手首血圧計。
【請求項９】
請求項１〜６に記載の手首血圧計であって、
前記カフと一体に設けられた血圧計本体の外装ケース上に、血圧測定をスタートする操作ボタンが設けられており、その操作ボタンの押圧面に前記表示体を配設したことを特徴とする手首血圧計。
【考案の詳細な説明】
【技術分野】
【０００１】
本考案は、血圧測定時に手首に装着したカフを心臓の高さに合わせるための手段を有した手首血圧計に関するものである。
【背景技術】
【０００２】
上腕で血圧を測定するときには問題とならないが、手首で血圧を測定するときには、血圧を測定している手首の高さを心臓の高さとほぼ一致させておかなければならない。そうしないと、水頭圧差の影響が測定結果に表れてしまい、正確な測定が行えないからである。
【０００３】
従来、この種の手首血圧計で血圧を測定する場合は、まず、手首にカフを装着した後、例えば、テーブルの上に肘を着いて、前腕を徐々に起こしていき、目で見て感覚的にカフの高さが心臓の高さに合ったところで腕を止めて、その位置で血圧測定をスタートさせていた。
【０００４】
しかし、目で見て感覚的に高さを合わせる方法では、測定の度毎に高さにずれが出てしまい、測定値にばらつきが生じるおそれがあった。
【０００５】
それを改善するものとして、特許文献１や特許文献２に、カフに傾斜角度を検出する手段を設け、この検出手段で肘の曲げ角度を検出し、それにより、肘を曲げた際の手首の高さを推定するようにした手首血圧計が提案されている。
【０００６】
【特許文献１】特開平７−２８９５２７号公報
【特許文献２】特開平８−５８０号公報
【考案の開示】
【考案が解決しようとする課題】
【０００７】
ところが、上述の従来の手首血圧計に装備されている傾斜検出手段は、振り子の原理を利用して傾斜を検出するものであるため、構造が複雑であり、コスト高になるという問題があった。
【０００８】
本考案は、上記事情を考慮し、簡単な構成を付加するだけで、カフを心臓の高さに容易に合わせることができる、使い勝手のよい、低コストな手首血圧計を提供することを目的とする。
【課題を解決するための手段】
【０００９】
請求項１の考案は、被測定者の手首に装着するカフまたはその近傍に、被測定者の視線に対する角度によって見える内容の変化する表示体を配設し、前記手首に装着したカフを自身の心臓に対して適正な高さ範囲に設定したときに、前記表示体を見る被測定者の目に特定の内容の表示が見えるようにし、且つ、適正な高さ範囲を外れたときに、被測定者の目に前記特定の内容とは別の内容の表示が見えるようにしたことを特徴とする。
【００１０】
請求項２の考案は、請求項１に記載の手首血圧計であって、前記表示体として、レンチキュラーシートを前記カフまたはその近傍の部材に貼り付けたことを特徴とする。
【００１１】
請求項３の考案は、請求項２に記載の手首血圧計であって、前記レンチキュラーシートは、前記カフが適正な高さ範囲にあるときとないときとの被測定者の視線に対する角度の違いから、絵柄を変化させて見せるものであることを特徴とする。
【００１２】
請求項４の考案は、請求項３に記載の手首血圧計であって、前記絵柄が文字であることを特徴とする。
【００１３】
請求項５の考案は、請求項２に記載の手首血圧計であって、前記レンチキュラーシートは、前記カフが適正な高さ範囲にあるときとないときとの被測定者の視線に対する角度の違いから、色調を変化させて見せるものであることを特徴とする。
【００１４】
請求項６の考案は、請求項１に記載の手首血圧計であって、前記表示体として、視野角調整シートを前記カフまたはその近傍の部材に貼り付け、該視野角調整シートが、前記カフが適正な高さ範囲にあるときとないときとの被測定者の視線に対する角度の違いにより、背景の色や絵柄を見せるか見せないかを切り替えるものであることを特徴とする。
【００１５】
請求項７の考案は、請求項１〜６に記載の手首血圧計であって、前記カフと一体に設けられた血圧計本体の外装ケースの外面に前記表示体を配設したことを特徴とする。
【００１６】
請求項８の考案は、請求項７に記載の手首血圧計であって、前記外装ケースの外面に、血圧測定結果を表示する表示部と並べて、前記表示体を配設したことを特徴とする。
【００１７】
請求項９の考案は、請求項１〜６に記載の手首血圧計であって、前記カフと一体に設けられた血圧計本体の外装ケース上に、血圧測定をスタートする操作ボタンが設けられており、その操作ボタンの押圧面に前記表示体を配設したことを特徴とする。
【考案の効果】
【００１８】
一般的に、血圧は毎日一定の姿勢で測定するのが望ましく、姿勢のばらつきがあると、日ごとの血圧の変化を確認しにくい。そこで、手首で血圧を測定する場合は、正しい姿勢として、例えば、イスに座り、その前のテーブルに肘を着き、前腕をまっすぐ前に伸ばした状態で、肘を曲げていき、カフを装着した手首の高さを、心臓の高さにまで上げる。そして、そこで腕を止めて、測定を開始するのがよい。この場合、肘を曲げて手首の高さを心臓の高さに上げて行くに従い、被測定者が表示体を見る角度も変わって行く。
【００１９】
本考案では、例えば、被測定者が一定の姿勢で肘を曲げ、腕を前に伸ばした状態で、カフを装着した手首を心臓の高さに上げたときの、被測定者の目が表示体を見る角度を適正角度として決めておき、その角度で見たときに表示体上に特定の内容の表示が見えるようにしておく。具体例として、「ＯＫ」の赤い文字が見えるようにしておく。
【００２０】
また、その適正角度の範囲を下側または上側に外れた場合は、カフを装着した手首が心臓の高さに対して高低差を持つことになるので、そのときの角度で被測定者の目に見える表示の内容を、前記の適正角度にあるときのものと違えておく。具体例として、赤い「ＯＫ」の文字の対比として、「ＮＧ」の黒い文字が見えるようにしておく。
【００２１】
そのようにしておくことで、手首の高さが心臓の高さに合ったところで、表示の内容が、黒い「ＮＧ」から、赤い「ＯＫ」に変化するので、その「ＯＫ」が見えるところで、手首の高さが心臓の高さに合っていると見なすことができる。つまり、表示体を見ながら、肘を曲げていき、表示体の表示する内容が、予め定めてある特定の内容に変化したところで腕を止めれば、その高さが心臓の高さに合った位置であると確認することができる。
【００２２】
従って、本考案によれば、簡単にカフを装着した手首の高さを心臓に合わせることができ、血圧の正確な測定が可能となる。また、表示内容の変化を見るだけで高さを合わせられるので、使い勝手の良さを発揮できる。また、表示体としては、例えば、レンチキュラーシートや視野角調整シートなどを利用することができるので、低コストで極めて容易に実現が可能であり、重量が増すようなこともない。
【考案を実施するための最良の形態】
【００２３】
以下、本考案の実施形態を図面を参照しながら説明する。
図１は実施形態の手首血圧計の構成と表示体の表示内容を示す図、図２は同手首血圧計の使用状態を示す側面図、図３は表示体の一例としてのレンチキュラーシートの拡大断面図である。
【００２４】
この手首血圧計１は、被測定者Ｍの手首Ｍｔに装着されるカフ８に、血圧計本体１０を一体に取り付けたものである。血圧計本体１０の外装ケース１１の内部には、いずれも図示しないが、カフ８の加減圧を行う加減圧手段と、カフ８の圧力変化に基づいて血圧測定を行う血圧測定手段と、各種制御を司る制御手段と、が設けられている。また、外装ケース１１の上面には、測定した血圧値を表示するための表示部１２と、血圧測定のための指示操作を行うスイッチの操作ボタン１３とが設けられている。
【００２５】
そして、外装ケース１１の上面に、血圧測定結果の表示部１２と並べて、被測定者Ｍの視線Ｓに対する角度α０、α１、α２によって見える内容の変化する表示体１４が配設されている。ここでは、表示体１４として、図３に断面を拡大して示すようなレンチキュラーシート１４Ａが外装ケース１１の表面に貼り付けられている。
【００２６】
レンチキュラーシート１４Ａは、図３に示すように、絵柄（文字を含む）などが所定のパターンで印刷された基板５１の表面上に、アレイ状のレンチキュラーレンズ５２を積層したもので、見る角度によって、見える絵柄が変わったり、色調が変わったりするように構成されている。
【００２７】
ここでは、例えば、図１に示すように、被測定者Ｍの目Ｍａで見たときの視線Ｓと表示体１４の基準線（例：垂線）Ｋとのなす角度α０、α１、α２の変化に応じて、異なる内容「ＯＫ」、「もっと上へ」、「もっと下へ」の表示が見えるようになっている。
【００２８】
この場合、被測定者Ｍが、手首Ｍｔに装着したカフ８を自身の心臓Ｈに対して適正な高さ範囲に設定したときに、視線Ｓと表示体１４との角度がα０となることによって、表示体１４を見る被測定者Ｍの目Ｍａに、特定の内容の表示、ここでは「ＯＫ」の表示が見えるようになっている。また、適正な高さ範囲を下または上に外れたときに、視線Ｓと表示体１４との角度がα１またはα２となることによって、被測定者Ｍの目Ｍａに、前記特定の内容「ＯＫ」とは別の内容の表示、ここでは「もっと上へ」または「もっと下へ」の表示が見えるようになっている。
【００２９】
次に作用を説明する。
この手首血圧計１を用いて血圧を測定する場合は、まず、血圧計本体１０の表示部１２が正面に見えるように、手首Ｍｔにカフ８を装着する。次いで、被測定者Ｍは、イス等に座った状態で、図２に示すように、上腕Ｍｊから前腕Ｍｚを前方に延ばして、肘ＭｈをテーブルＴの上に着く。その状態で、肘Ｍｈの曲げ角度を加減して、血圧計１を装着した手首Ｍｔを、心臓Ｈの高さに持ち上げていく。そうすると、被測定者Ｍの視線Ｓに対する表示体１４の角度が変化していき、その角度の変化により、見える表示の内容が変化する。
【００３０】
血圧計本体１０に貼り付けられた表示体（レンチキュラーシート）１４が、心臓Ｈとほぼ同じ高さ位置Ｈ０にある場合は、視線Ｓと表示体１４のなす角度がα０となることによって、「ＯＫ」の表示が見えるようになる。また、心臓Ｈより低い位置Ｈ１にある場合は、視線Ｓと表示体１４のなす角度がα１となることによって、「もっと上へ」の表示が見えるようになる。また、心臓Ｈより高い位置Ｈ２にある場合は、視線Ｓと表示体１４のなす角度がα２となることによって、「もっと下へ」の表示が見えるようになる。
【００３１】
従って、「ＯＫ」の表示が見える高さで止めることにより、手首Ｍｔの高さを心臓Ｈの高さに合わせることができる。つまり、表示体１４を見ながら、肘Ｍｈを曲げていき、表示体１４の表示する内容が、「もっと上へ」から「ＯＫ」に切り替わった段階で、手首Ｍｔの高さが心臓Ｈの高さに合ったことを確認できる。また、上へ上げ過ぎてしまった場合は、「もっと下へ」の表示が見えることになるので、手首Ｍｔを若干下に降ろす。そうすると、「ＯＫ」の表示に切り替わるので、そこで止めることにより、手首Ｍｔの高さを心臓Ｈの高さに合わせることができる。よって、その位置で測定をスタートすることにより、正確な血圧測定が行える。
【００３２】
また、この手首血圧計１の場合、表示体１４の表示内容の変化を見るだけで高さを合わせられるので、使い勝手の良さを発揮できるし、表示体１４として、レンチキュラーシート１４Ａを利用しているので、極めて低コストで容易に実現できる、しかも、重量が増すようなマイナス面はない。
【００３３】
なお、レンチキュラーシート１４Ａの表示パターンは任意に選択することができる。例えば、見る角度によって、色の種類や色の濃さ等の色調の変化が表れるようにしたり、異なった絵や文字が表れるようにしたりすることができる。具体例としては、赤い「ＮＧ」と緑の「ＮＧ」の組、「○」と「×」の組、キャラクターの種類や表情の組、等を挙げることができる。
【００３４】
また、表示体１４としては、図４に示すような視野角調整シート１４Ｂを使用することもできる。この視野角調整シート１４Ｂは、２枚の透明フィルム５３ａの間にルーバーフィルム５３ｂを挟んだフィルム５３を、絵柄を印刷した基板５１の上に積層したもので、ルーバーフィルム５３ｂの仕様により、基板５１の絵等の見える視野角の範囲が調整される。従って、カフ８を装着した手首Ｍｔが適正な高さ範囲にあるときとないときとの、被測定者の視線Ｓに対する表示体１４の角度の違いにより、背景の色や絵柄を見せるか見せないかを切り替えることができる。
【００３５】
前記実施形態においては、表示体１４の表示の変化する角度（視線Ｓに対する角度）を、肘ＭｈをテーブルＴの上に着き、肘Ｍｈを曲げながら、手首Ｍｔを持ち上げていく場合における角度として設定したが、図５に示すように、肘Ｍｈを脇に付けた状態で、肘Ｍｈを曲げながら、手首Ｍｔを持ち上げていく場合には、表示体１４の見える角度が異なってくる。そこで、そのような測定姿勢をとることを推奨する場合は、それを前提にして、表示体１４の表示内容が変化する角度を決めてやればよい。
【００３６】
また、どちらの測定姿勢をとるか分からない場合は、２種類の測定姿勢に対応させた２種類の表示体を設けることも可能である。
【００３７】
また、血圧測定は、図６に示すように、手首Ｍｔや前腕Ｍｚを左右方向（矢印Ｙ方向）に捩らずに行うことが望ましいが、人によっては捩ってしまう場合もあり得る。そのような場合に、同一の表示体１４、または、別に設けた同様の表示体による、見える絵柄の変化によって、捩りを教えることもでき、捩りの修正を促すことができる。
【００３８】
また、前記実施形態では、表示体１４を操作ボタン１３とは別の位置に貼り付けた場合を示したが、血圧測定をスタートする操作ボタン１３の押圧面に表示体１４を貼り付けてもよい。そのようにした場合は、例えば、「ＯＫ」の表示が見えた状態で、操作ボタン１３を押すことにより、適正な測定を行うことができる。
【００３９】
また、表示体１４を貼り付ける場所は、カフ１の近傍の、被測定者から見える位置であれば、どこであってもよい。例えば、図７に示すように、血圧計本体１０とカフ８が別体構造の手首血圧計１０１の場合は、カフ８自体に表示体１４を貼り付ける。
【図面の簡単な説明】
【００４０】
【図１】本考案の実施形態の手首血圧計の構成と表示体の表示内容を示す図である。
【図２】同手首血圧計の使用状態を示す側面図である。
【図３】表示体の一例としてのレンチキュラーシートの拡大断面図である。
【図４】表示体の別の例としての視野角調整シートの拡大断面図である。
【図５】別の測定姿勢の説明図である。
【図６】手首や前腕に捩りが発生する場合の説明図である。
【図７】別の実施形態の手首血圧計の構成図である。
【符号の説明】
【００４１】
１，１０１  手首血圧計
１０  血圧計本体
１１  外装ケース
１２  表示部
１３  操作ボタン
１４  表示体
１４Ａ  レンチキュラーシート
１４Ｂ  視野角調整シート
【図１】
0003125595.tif 000003
【図２】
0003125595.tif 000004
【図３】
0003125595.tif 000005
【図４】
0003125595.tif 000006
【図５】
0003125595.tif 000007
【図６】
0003125595.tif 000008
【図７】
0003125595.tif 000009
【手続補正書】
【提出日】平成18年7月12日(2006.7.12)
【手続補正１】
【補正対象書類名】実用新案登録請求の範囲
【補正対象項目名】全文
【補正方法】変更
【補正の内容】
【実用新案登録請求の範囲】
【請求項１】
被測定者の手首に装着するカフまたはその近傍に、被測定者の視線に対する角度によっ
て見える内容の変化する表示体を配設し、前記手首に装着したカフを自身の心臓に対して
適正な高さ範囲に設定したときに、前記表示体を見る被測定者の目に特定の内容の表示が
見えるようにし、且つ、適正な高さ範囲を外れたときに、被測定者の目に前記特定の内容
とは別の内容の表示が見えるようにしたことを特徴とする手首血圧計。
【請求項２】
請求項１に記載の手首血圧計であって、
前記表示体として、レンチキュラーシートを前記カフまたはその近傍の部材に貼り付け
たことを特徴とする手首血圧計。
【請求項３】
請求項２に記載の手首血圧計であって、
前記レンチキュラーシートは、前記カフが適正な高さ範囲にあるときとないときとの被
測定者の視線に対する角度の違いから、絵柄を変化させて見せるものであることを特徴と
する手首血圧計。
【請求項４】
請求項３に記載の手首血圧計であって、
前記絵柄が文字であることを特徴とする手首血圧計。
【請求項５】
請求項２に記載の手首血圧計であって、
前記レンチキュラーシートは、前記カフが適正な高さ範囲にあるときとないときとの被
測定者の視線に対する角度の違いから、色調を変化させて見せるものであることを特徴と
する手首血圧計。
【請求項６】
請求項１に記載の手首血圧計であって、
前記表示体として、視野角調整シートを前記カフまたはその近傍の部材に貼り付け、該
視野角調整シートが、前記カフが適正な高さ範囲にあるときとないときとの被測定者の視
線に対する角度の違いにより、背景の色や絵柄を見せるか見せないかを切り替えるもので
あることを特徴とする手首血圧計。
【請求項７】
請求項１から６のいずれか１項に記載の手首血圧計であって、
前記カフと一体に設けられた血圧計本体の外装ケースの外面に前記表示体を配設したこ
とを特徴とする手首血圧計。
【請求項８】
請求項７に記載の手首血圧計であって、
前記外装ケースの外面に、血圧測定結果を表示する表示部と並べて、前記表示体を配設
したことを特徴とする手首血圧計。
【請求項９】
請求項１から６のいずれか１項に記載の手首血圧計であって、
前記カフと一体に設けられた血圧計本体の外装ケース上に、血圧測定をスタートする操
作ボタンが設けられており、その操作ボタンの押圧面に前記表示体を配設したことを特徴
とする手首血圧計。
【手続補正２】
【補正対象書類名】明細書
【補正対象項目名】００１５
【補正方法】変更
【補正の内容】
【００１５】
請求項7の考案は、請求項１から６のいずれか１項に記載の手首血圧計であって、前記カフと一体に設けられた血圧計本体の外装ケースの外面に前記表示体を配設したことを特徴とする。
【手続補正３】
【補正対象書類名】明細書
【補正対象項目名】００１７
【補正方法】変更
【補正の内容】
【００１７】
請求項９の考案は、請求項１から６のいずれか１項に記載の手首血圧計であって、前記カフと一体に設けられた血圧計本体の外装ケース上に、血圧測定をスタートする操作ボタンが設けられており、その操作ボタンの押圧面に前記表示体を配説したことを特徴とする。